(57)【要約】【課題】本発明は設置する壁の大きさや個人の好みに合わせて任意にその大きさを選定可能とする平面モニターの提供を課題とする。【解決手段】所望長さのテープ状基板表面の一端に、所望個数の発光素子が長さ方向に沿って設けられ、他端の少なくとも一端に外部回路と接続するための端子部が設けられ、テープ状基板表面に発光素子と端子部とを電気的に接合するための配線部が設けられたテープ状情報表示素子列を所望枚数でもって構成し、好ましくはテープ状情報表示素子で構成したモニターにおいて、発光素子間のギャップがオイルで満たされ、もしくは発光素子の表面がオイルで覆われていることを特徴とするものである。【選択図】    図３
2004177724.tif 000002
【特許請求の範囲】
【請求項１】
所望長さのテープ状基板表面の一端に、所望個数の発光素子が長さ方向に沿って設けられ、他端の少なくとも一端に外部回路と接続するための端子部が設けられ、テープ状基板表面に発光素子と端子部とを電気的に接合するための配線部が設けられたテープ状情報表示素子列を所望枚数でもって構成したことを特徴とする平面モニター。
【請求項２】
請求項１記載の平面モニターにおいて、発光素子間のギャップがオイルで満たされ、もしくは発光素子の表面がオイルで覆われていることを特徴とする平面モニター。
【発明の詳細な説明】
【０００１】
【発明の属する技術分野】
本発明は平面モニターに関し、特に大画面に適する平面モニターに関する。
【０００２】
【従来の技術】
テレビジョンやコンピューター用の表示装置に使用される平面モニターは、陰極線管を用いたブラウン管が主流であった。その結果、大画面の表示を可能とするモニターはどうしても奥行きがあり、広いスペースを必要とするものにならざるを得なかった。
【０００３】
最近、奥行きのいらない液晶ディスプレイやプラズマディスプレイが登場し、これらを用いた壁掛けテレビなどが販売されるようになってきている。液晶ディスプレイやプラズマディスプレイも大型化し、より大画面のものが検討されてきているが、大型の液晶ディスプレイやプラズマディスプレイを得ようとする場合、大型化すればするほど製造の歩留まりが悪くなる。また、ガラス基板を用いる関係上その上限に制約がある。さらに、モニターの一部が故障しても修理はできず、すべてを交換するしか方法はなく、経済的にも資源的にも無駄が多いという各種の問題を抱えている。
【０００４】
こうした大画面の表示用として光投影方式のプロジェクター型表示装置が実用化され、これを用いて大型のテレビジョンモニターを実現している。しかしながら、このプロジェクター型は輝度が小さく、また光投影のための光導入経路を確保する必要があり、簡単な壁掛け表示装置として用いるには困難な点がある。
【０００５】
【発明が解決しようとする課題】
本発明は上記状況に鑑みて成されたものであり、その目的とするところは、設置する壁の大きさや個人の好みに合わせて任意にその大きさを選定可能とする平面モニターの提供にある。
【０００６】
【課題を解決するための手段】
すなわち、上記課題を解決する本発明は、
所望長さのテープ状基板表面の一端に、所望個数の発光素子が長さ方向に沿って設けられ、他端の少なくとも一端に外部回路と接続するための端子部が設けられ、テープ状基板表面に発光素子と端子部とを電気的に接合するための配線部が設けられたテープ状情報表示素子列を所望枚数でもって構成したことを特徴とする平面モニターである。
【０００７】
また、好ましくはテープ状情報表示素子で構成したモニターにおいて、発光素子間のギャップがオイルで満たされ、もしくは発光素子の表面がオイルで覆われていることを特徴とするものである。
【０００８】
【発明の実施の形態】
本発明において用いることのできる発光素子としては、ＥＬ、有機ＥＬ、ＬＥＤ等の発光素子等を用いることが可能である。以下図を用いて本発明を説明する。図１は本発明のテープ状情報表示素子列の一例を示した図である。１は絶縁性フィルム基板である。２は発光素子である。３は外部回路との接続端子である。４は発光素子と接続端子とをつなぎ、発光素子を選択的に発光させるための配線部である。なお、端子部は図１のように一カ所としても良く、分散させても良い。
【０００９】
本発明のようにテープを用いることにより、任意の発光素子を有する１次元のテープ状情報表示素子列を容易に作成できる。こうして得られるテープ状情報表示素子列を必要枚数重ね、図２に示すように平面状に配列させ、各１次元表示素子への信号分配回路（図示せず。）を別途接続させれば平面モニターを構成することができる。
【００１０】
使用するテープ状情報表示素子列の長さは任意に決めることができ、積層枚数も任意であるので、組立可能な平面モニターの大きさも任意となる。また一部の発光素子が故障したとしても当該発光素子を含むテープ状情報表示素子列を交換するのみで修理終了となる。このため、修理に要する部品、手間を大幅に低減できる。
【００１１】
また製造の歩留まりも、平面モニターに必要な長さの欠陥のないテープが連続して製造できなくても、１本分のテープが欠陥なく製造されれば良く、テープの歩留まり率がそのまま平面モニターの歩留まり率になるために、大型の平面モニターを制作するに際しても生産性が高い。
【００１２】
【実施例】
次に実施例を用いて本発明をさらに説明する。
（実施例１）
幅３０ｍｍで厚さ１００μｍの銅ポリイミドテープを基板として、この基板上に、ホトメトリック手法により電気回路を設け、基板の一端に発光素子を接合し、これを発光素子１０個が一単位となるように切断し、各テープの上端部に信号接続用基板の上端に外部回路と接合するための端子部を設け、テープ状情報表示素子列を得た。用いた発光素子は１ｍｍ角の発光ダイオードＬＥＤである。並べられた発光素子のピッチは１．２ｍｍとした。
【００１３】
このテープ状情報表示素子列を１０枚積層した。これにより、１０個×１０個配列の情報表示モニターを作成した。これを図３に示した。
【００１４】
外部回路より情報表示モニターに通電し、全発光素子が発光することを確認したが、以上はなかった。
実施例  ２
実施例１で作成したモニターの発光素子を、シリコンオイルを主成分とするオイルで覆ったところ、オイルは発光素子間のギャップを埋めた。この時、発光素子表面もオイルの膜で覆われた。オイルで浸されたモニターは発光部分がオイルのレンズ作用により拡大され、素子間のギャップが小さくなることが確認できた。このオイルを循環させたところ、発光素子および周辺の回路より発生する発熱を押さえることができた。
【００１５】
【発明の効果】
本発明によれば、大画面テレビなどの大型モニターも簡単に作成でき、かつ修理も一部分の部品を交換することで可能となる。よって、今後のＶＤＴを利用した作業や生活環境に容易に大画面を取り入れることが可能となる。
【図面の簡単な説明】
【図１】本発明のテープ状情報表示素子列の一例を示した図である。
【図２】図１のテープ状情報表示素子列を組み合わせて作成した平面モニター例の要部を示した図である。
【図３】実施例で得られた平面モニターの要部を示した図である。
【符号の説明】
１――――絶縁性フィルム基板
２――――発光素子
３――――外部回路との接続端子
４――――配線部
【図１】
2004177724.tif 000003
【図２】
2004177724.tif 000004
【図３】
2004177724.tif 000005